【事件の表示】
　特許第２９５４４６２号「逆転防止装置」の請求項１に係る特許に対する特許異議の申立てについて、次のとおり決定する。
【結　論】
　訂正を認める。
　特許第２９５４４６２号「魚釣用スピニングリールの逆転防止装置」の請求項１に係る特許を取り消す。
【理　由】
１．手続の経緯
　本件特許第２９５４４６２号の請求項１に係る発明は、平成５年８月２６日に特許出願され、平成１１年７月１６日にその設定登録がなされ、その後、竹野哲雄より特許異議の申立てがなされ、平成１２年１１月１６日付けで取消理由通知がなされ、その指定期間内である平成１３年１月２９日に訂正請求がなされたものである。
　　　　
２．訂正の適否についての判断
　（１）訂正の内容
　i．訂正事項ａ
　特許明細書の特許請求の範囲の請求項１に記載の、
　「ころがり部材を収容保持するガイド溝を形成しかつ前記ころがり部材の前後動を規制した環状保持体を環状外枠の内周に回動範囲を規制して回動可能に嵌着すると共に前記環状保持体のガイド溝に収容されるころがり部材を正回転を許容し逆回転を防止する一方向のみ楔作用する方向にバネで付勢するようにしてクラッチ本体を構成し、前記環状外枠を本体固定部に固着して前記環状保持体の内周に回動可能に嵌着する回転部材の逆転防止装置を構成し、前記環状保持体に設けた回動操作部材により、前記環状保持体に収容した前記ころがり部材が楔作用して前記回転部材の正回転を許容し逆回転を防止する逆転防止状態を構成する作動位置と、前記ころがり部材が楔作用しない前記回転部材が正逆両回転可能な逆転防止状態を解除する非作動位置との両位置に切換え保持規制できるようにしたことを特徴とする逆転防止装置。」を、
　「ローターを固着しかつハンドル軸の駆動歯車と噛合するピニオンを設けた回転軸筒は、リール筐体の前部に軸受を介して回転自在に支持され、該回転軸筒の軸受の前部には一体的にカラーが係合嵌着され、ころがり部材を収容保持するガイド溝を形成しかつ前記ころがり部材の前後動を規制した環状保持体を環状外枠の内周に回動範囲を規制して回動可能に嵌着すると共に前記環状保持体のガイド溝に収容されるころがり部材を正回転を許容し逆回転を防止する一方向のみ楔作用する方向にバネで付勢するようにしてクラッチ本体を構成し、前記環状外枠を本体固定部であるリール筐体に固着して前記環状保持体の内周に回動可能に嵌着するカラーを介して回転部材である回転軸筒の逆転防止装置を構成し、前記環状保持体に設けた回動操作部材を操作して環状保持体を規制回動範囲内で回動させて、前記環状保持体に収容した前記ころがり部材が楔作用して前記回転部材の正回転を許容し逆回転を防止する逆転防止状態を構成する作動位置と、前記ころがり部材が楔作用しない前記回転部材が正逆両回転可能な逆転防止状態を解除する非作動位置との両位置に切換え保持規制できるようにしたことを特徴とする魚釣用スピニングリールの逆転防止装置。」と訂正する。
　ii．訂正事項ｂ  
　発明の名称「逆転防止装置」を「魚釣用スピニングリールの逆転防止装置」と訂正する。
　iii．訂正事項ｃ
　特許明細書の段落【０００１】中の「逆転防止装置の改良」を「魚釣用スピニングリールの逆転防止装置の改良」と訂正する。
　iv．訂正事項ｄ
　特許明細書の段落【０００３】中の「逆転防止装置を提供」を「魚釣用スピニングリールの逆転防止装置を提供」と訂正する。
　v．訂正事項ｅ
　特許明細書の段落【０００４】を、
　「本発明は前記目的を達成するために、ローターを固着しかつハンドル軸の駆動歯車と噛合するピニオンを設けた回転軸筒は、リール筐体の前部に軸受を介して回転自在に支持され、該回転軸筒の軸受の前部には一体的にカラーが係合嵌着され、ころがり部材を収容保持するガイド溝を形成しかつ前記ころがり部材の前後動を規制した環状保持体を環状外枠の内周に回動範囲を規制して回動可能に嵌着すると共に前記環状保持体のガイド溝に収容されるころがり部材を正回転を許容し逆回転を防止する一方向のみ楔作用する方向にバネで付勢するようにしてクラッチ本体を構成し、前記環状外枠を本体固定部であるリール筐体に固着して前記環状保持体の内周に回動可能に嵌着するカラーを介して回転部材である回転軸筒の逆転防止装置を構成し、前記環状保持体に設けた回動操作部材を操作して環状保持体を規制回動範囲内で回動させて、前記環状保持体に収容した前記ころがり部材が楔作用して前記回転部材の正回転を許容し逆回転を防止する逆転防止状態を構成する作動位置と、前記ころがり部材が楔作用しない前記回転部材が正逆両回転可能な逆転防止状態を解除する非作動位置との両位置に切換え保持規制できるようにした魚釣用スピニングリールの逆転防止装置である。」と訂正する。
　　　
　（２）訂正の目的の適否、新規事項の有無及び拡張変更の存否
　上記訂正事項ａは、特許明細書の特許請求の範囲の請求項１に記載の発明である「逆転防止装置」を「魚釣用スピニングリールの逆転防止装置」に用途を限定するとともに、「魚釣用スピニングリールの逆転防止装置」の構成を具体化限定するものであるから、特許請求の範囲の減縮を目的とするものであり、また、上記訂正事項ｂ乃至ｅは、特許請求の範囲の請求項１の減縮に伴って、訂正された特許請求の範囲の記載と、発明の名称及び発明の詳細な説明の記載とを整合させるために訂正する、明りょうでない記載の釈明を目的とするものであり、そして、これらの訂正事項ａ乃至ｅは、特許明細書に記載された事項の範囲内において訂正するものであるから新規事項の追加に該当せず、また、実質上特許請求の範囲を拡張し又は変更するものでもない。
　　　
　（３）むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　　
３．特許異議申立てについての判断
　（１）本件発明
　本件請求項１に係る発明は、その訂正明細書及び図面の記載からみて、その特許請求の範囲の請求項１(前記２．(１)訂正事項ａ参照）に記載された事項により特定されるものである。(以下、「本件発明」という。)
　　　　
　（２）取消理由の概要 
　当審が平成１２年１１月１６日付けで通知した取消理由は、本件発明は、下記の刊行物１乃至３に記載された発明に基づいて容易に発明をすることができたものであるから、本件発明の特許は、特許法第２９条第２項の規定に違反してなされたものであり、取り消されるべきというものである。
　刊行物１：特開昭５６−１０５１２７号公報（甲第１号証）
　刊行物２：特開昭５４−１４１２８５号公報（甲第２号証）
　刊行物３：実願平３−２９０３９号（実開平４−１１７５７４号）
　　　　　　のマイクロフィルム（甲第４号証）
　　　
　（３）刊行物１に記載の発明
　i．刊行物１〔特開昭５６−１０５１２７号公報〕には、以下の記載が認められる。
　「本発明は、切り替え部材と、スリーブの内周に沿って設けられているリングばねとを備え、該リングばねは、ローラ保持器を出発位置にもどすために、スリーブに固定されていてローラ保持器に係合している形式の切り替え可能な一方向クラッチに関する。」（刊行物１第１頁右下欄第９〜１３行）、
　「以下においては図面を参照しながら本発明の構成を具体的に説明する。スリーブ１内に保持器２が配置されており、この保持器内には締め付けローラ３が保持されている。各締め付けローラ３のためにスリーブ１の内周面にそれぞれ１つの切り欠き４が形成されており、この切り欠き４はくさび面５と部分円筒面形のレース面６とを有している。各締め付けローラ３は、保持器２内に挿入されているばね７によってくさび面５に向かって押されている。スリーブ１内には、軸受けローラ（ころ）９を保持する別の保持器８も支承されている。スリーブ１の内部で保持器２の保持器８とは逆の側にリングばね１０が配置されている。このリングばねの直径は保持器２の直径と等しい。リングばね１０は、スリーブ１を装着されている軸１１とは接触していない。リングばね１０はその一方の端部に折り曲げ部１２を有しており、これはスリーブ１の孔１３内に係合して、スリーブ１に固定されている。リングばね１０の他方の端部にはＵ字形の湾曲部１４が形成されており、そのＵ字の一方の脚部（自由脚部）は延長部１５を有している。この延長部１５は保持器２の切り欠き１６内に係合している。湾曲部１４は切り替え部材として役立ち、スリーブ１のスリット１７を貫通して外方に突出している。スリット１７の両方の端面は切り替え部材（１４）のためのストッパを形成している。この一方向クラッチの作用は次のとおりである。第１図においては保持器２は出発位置で示されている。この出発位置においては湾曲部１４としての切り替え部材はスリット１７の端面１８に支えられている。保持器２がこの位置にある状態では軸１１が時計回り方向に回転すると締め付けローラ３がくさび面５によって締め付けられ、これによりスリーブ１が軸１１と連結され、クラッチが接続される。軸１１が逆時計回り方向に回転すると締め付けローラ３はレース面６のところで回転し、軸１１はスリーブ１に対して空転し、クラッチはしや断されている。第１図に示した状態から切り替え部材（１４）がスリット１７の端面１９に当たるまで旋回せしめられると、リングばね１０が緊縮され、保持器２が延長部１５により一緒に回動せしめられる。保持器２がこの切り替え位置に調節されると、締め付けローラ３はもはやくさび面５のところに達することができない。したがって軸１１はいずれの回転方向でもスリーブ１に対して空転する。切り替え部材としての湾曲部１４を解放すると直ちにリングばね１０がゆるみ、保持器２が延長部１５により再びその出発位置にもどされる。」（同第２頁左下欄第１７行〜第３頁右上欄第１１行）。
　　　
　ii．刊行物１における前記摘示の記載及び図面第１図乃至第３図によれば、刊行物１には、以下の発明が記載されているものと認められる。
　「締め付けローラ３を収容保持する保持空間を形成しかつ前記締め付けローラ３の前後動を規制した保持器２をスリーブ１の内周に回動範囲を規制して回動可能に嵌着すると共に前記保持器２の保持空間に収容される締め付けローラ３を正回転を許容し逆回転を防止する一方向のみ楔作用する方向にばね７で付勢するようにしてクラッチ本体を構成し、前記保持器２に設けたリングばね１０による切り替え部材１４を操作して保持器２を規制回動範囲内で回動させて、前記保持器２に収容した前記締め付けローラ３が楔作用して軸１１が時計回り方向に回転するとスリーブ１と連結されクラッチが接続され軸１１が逆時計回り方向に回転するとスリーブ１に対して空転しクラッチがしや断される一方向クラッチ作動位置と、前記締め付けローラ３が楔作用しないで前記軸１１がいずれの回転方向でもスリーブ１に対して空転するクラッチ非作動位置との両位置に切換え保持規制できるようにした一方向クラッチ。」
　　　
　（４）刊行物２に記載の発明
　i．刊行物２〔特開昭５４−１４１２８５号公報〕には、以下の記載が認められる。
　「スピニングリールのローターの軸筒部に軸受部材の移動係止作用により一方向のみに回転するベアリングを設けると共に該ベアリングの前部に往復回動自在に設けた規制板に前記軸受部材のガイド溝孔内に突出する係止片を突設し筐体には前記規制板を回動する作動杆を支承せしめた魚釣用スピニングの逆転防止装置。」（刊行物２第１頁左下欄第５〜１１行）、
　「本発明の実施例を図面について説明すると、筐体（１）の前部にベアリング（２）を介して回転自在に支承された回転筒軸（３）は公知の如くハンドル回転軸（４）と連動して回動されると共にその前端部にはベルアーム（５）を有するローター（６）の軸筒部（７）が一体的に固着されており、更に内部にはスプール(８)を設けたスプール軸（９）がこれまた公知の如く往復摺動自在に嵌挿されている。しかして前記軸筒部（７）に固定されたリング（１０）の外周部には、ベアリング押し板（１１）と筐体（１）にピン（１２）で固定されかつガイド溝孔（１３）を有するベアリングガイド（１４）と前記ガイド溝孔（１３）に嵌合するローラー又はボールの軸受部材（１５）とで構成される一方向のみに回転するベアリング（１６）が装着されると共に該ベアリング（１６）の前面には前記ピン（１２）に長孔（１７）が嵌合して往復回動自在な規制板（１８）が設けられ、該規制板（１８）に突設された係止片（１５）はローラー又はボールの軸受部材（１５）の後方におけるガイド溝孔（１３）内に位置し、更に規制板（１８）の一側外周部には係合溝（２０）を有する作動突部（２１）が形成されている。また前記筐体（１）には後端に操作レバー（２２）を有する作動杆（２３）が回動自在に支承され、該作動杆（２３）の先端に設けたカム（２４）の突起（２５）が前記係合溝（２０）に係合している。」（同第２頁左上欄第５行〜右上欄第１１行）、
　「本発明実施例は上記のように構成されているから操作杆（２３）を回動しカム（２４）の突起（２５）により規制板（１８）を回動して係止片（１９）をガイド溝孔（１３）の端部に移行せしめた場合には、軸筒部（７）の正転方向（釣糸捲取方向）の回転には軸受部材（１５）はガイド溝孔（１３）内で遊転状態になって軸筒部（７）を回転せしめるが、逆転方向（釣糸繰出方向）には軸受部材（１５）が軸筒部（７）の回転を阻止し、ローター（６）の逆転を防止する。（第２図及び第３図参照）　また操作杆（２３）を回動して規制板（１８）の係止片（１９）をガイド溝孔（１３）の中央部に移行せしめた場合には、軸受部材（１５）は常時遊転状態を保持して軸筒部（７）は正転方向逆転方向何れの方向にも回転可能となる。（第４図及び第５図参照）」（同第２頁右上欄第１２行〜左下欄第８行）。
　　　　
　ii．刊行物２における前記摘示の記載及び図面第１図乃至第５図によれば、刊行物２には、以下の発明が記載されているものと認められる。
　「ローター（６）を固着しかつハンドル回転軸（４）と連動して回動される回転筒軸（３）は、リール筐体（１）の前部にベアリング（２）を介して回転自在に支持され、該回転筒軸（３）のベアリング（２）の前部の外周に固着されるローター（６）の軸筒部（７）には一体的にリング（１０）が固定され、軸受部材（１５）を収容保持するガイド溝孔（１３）を形成したベアリングガイド（１４）の前部に前記軸受部材（１５）の前後動を規制する係止片（１９）を突設した規制板（１８）を回動範囲を規制して回動可能に設けると共に前記ベアリングガイド（１４）のガイド溝孔（１３）に収容される軸受部材（１５）を正回転を許容し逆回転を防止する一方向のみ楔作用するようにして一方向回転ベアリング（１６）を構成し、前記ベアリングガイド（１４）を本体固定部であるリール筐体（１）に固着して前記ベアリングガイド（１４）の内周に回動可能に嵌着するリング（１０）及び軸筒部（７）を介して回転部材である回転筒軸（３）の逆転防止装置を構成し、前記規制板（１８）に設けた作動杆（２３）を操作して規制板（１８）を規制回動範囲内で回動させて、前記ガイド溝孔（１３）に収容した前記軸受部材（１５）が楔作用して回転部材である前記回転筒軸（３）の正回転を許容し逆回転を防止する逆転防止状態を構成する作動位置と、前記軸受部材（１５）が楔作用しない回転部材である前記回転筒軸（３）が正逆両回転可能な逆転防止状態を解除する非作動位置との両位置に切換え保持規制できるようにした魚釣用スピニングリールの逆転防止装置。」
　　　　
　（５）本件発明と刊行物１、２に記載の発明との対比検討
　i．本件発明と刊行物２に記載の発明との対比
　本件発明と刊行物２に記載の発明とを対比すると、両者はいずれも「魚釣用スピニングリールの逆転防止装置」に関する発明であって、刊行物２に記載の発明における、「ローター（６）」、「ハンドル回転軸（４）」、「回転筒軸（３）」、「リール筐体（１）」、「ベアリング（２）」、「軸受部材（１５）」、「ガイド溝孔（１３）」、「ベアリングガイド（１４）」、「係止片（１９）を突設した規制板（１８）」、「一方向回転ベアリング（１６）」、「作動杆（２３）」は、それぞれ、本件発明における、「ローター」、「ハンドル軸」、「回転軸筒」、「リール筐体」、「軸受」、「ころがり部材」、「ガイド溝」、「環状外枠」、「環状保持体」、「クラッチ本体」、「回動操作部材」に相当する。
　また、刊行物２に記載の発明における「回転筒軸（３）の外周に固着されるローター（６）の軸筒部（７）に一体的に固定されるリング（１０）」は、本件発明における、「回転軸筒に一体的に係合嵌着されるカラー」と対比して、両者は、いずれも、ころがり部材（軸受部材（１５））が楔作用する部材である「回転軸筒に係合嵌着されるカラー」において一致する。
　そうすると、本件発明と刊行物２に記載の発明の両者は、以下の点でそれぞれ、一致ならびに相違するものと認められる。
　　　　
　ii．一致点及び相違点
　一致点．「ローターを固着しかつハンドル軸と連動して回動される回転軸筒は、リール筐体の前部に軸受を介して回転自在に支持され、該回転軸筒の軸受の前部にはカラーが係合嵌着され、ころがり部材を収容保持するガイド溝を形成し、前記ころがり部材の前後動を規制した環状保持体を環状外枠に回動範囲を規制して回動可能に設けるようにしてクラッチ本体を構成し、前記環状外枠を本体固定部であるリール筐体に固着して、前記環状外枠の内周に回動可能に嵌着するカラーを介して回転部材である回転軸筒の逆転防止装置を構成し、前記環状保持体に設けた回動操作部材を操作して環状保持体を規制回動範囲内で回動させて、前記ころがり部材が楔作用して前記回転部材の正回転を許容し逆回転を防止する逆転防止状態を構成する作動位置と、前記ころがり部材が楔作用しない前記回転部材が正逆両回転可能な逆転防止状態を解除する非作動位置との両位置に切換え保持規制できるようにした魚釣用スピニングリールの逆転防止装置。」
　　　
　相違点Ａ．本件発明は、ローターを固着した回転軸筒にハンドル軸の駆動歯車と噛合するピニオンを設けるとともに、ころがり部材が楔作用する回転部材について、回転軸筒の軸受の前部に一体的に係合嵌着されるカラーを介して回転部材である回転軸筒の逆転防止装置を構成するのに対して、刊行物２に記載の発明は、ローターを固着した回転軸筒とハンドル軸との回転トルク伝達にかかる構成を開示していないとともに、ころがり部材が楔作用する回転部材について、回転部材である回転軸筒に係合嵌着されるカラーとの間にローターの軸筒部（７）を介在させて回転軸筒の逆転防止装置を構成している点。
　相違点Ｂ．本件発明は、ころがり部材を収容保持するガイド溝を形成しかつ前記ころがり部材の前後動を規制した環状保持体を環状外枠の内周に回動範囲を規制して回動可能に嵌着すると共に前記環状保持体のガイド溝に収容されるころがり部材を正回転を許容し逆回転を防止する一方向のみ楔作用する方向にバネで付勢するようにしてクラッチ本体を構成するのに対して、刊行物２に記載の発明は、ころがり部材を収容保持するガイド溝を形成した環状外枠の前部に前記ころがり部材の前後動を規制する環状保持体を回動範囲を規制して回動可能に設けると共に前記環状外枠のガイド溝に収容されるころがり部材を正回転を許容し逆回転を防止する一方向のみ楔作用するようにしてクラッチ本体を構成している点。
　　　
　iii．相違点の検討
　（ア）相違点Ａについて
　魚釣用スピニングリールの構成において、ローターを固着した回転軸筒にハンドル軸の駆動歯車と噛合するピニオンを設けて回転トルクを伝達する構成は周知慣用技術（例えば、実願昭６２−１３１７３９号（実開昭６４−３８９６３号）のマイクロフィルム参照）である。
 　また、回転軸筒に一体的にカラーを係合嵌着させてその外周に逆転防止部材を配置するとともに、その回転軸筒の前側にローターの軸筒部を係合嵌着させた魚釣用スピニングリールの逆転防止装置が周知技術（例えば、刊行物３〔実願平３−２９０３９号（実開平４−１１７５７４号）のマイクロフィルム〕参照）であるとともに、回転軸筒に一体的にカラーとしての内輪を係合嵌着させてその外周にころがり部材を配置するクラッチが周知技術（例えば、実公昭６３−４０６５９号参照）である。
　そうすると、刊行物２に記載の発明に示される、ローターを固着した回転軸筒とハンドル軸との回転トルク伝達にかかる構成としてピニオンにより回転トルクを伝達する前記周知慣用技術を採用するともに、ころがり部材が楔作用する回転部材について、回転部材である回転軸筒に係合嵌着されるカラーとの間にローターの軸筒部を介在させることに代えて、前記周知技術のように回転軸筒に一体的にカラーを係合嵌着させる構成を採用して、相違点Ａにかかる本件発明の構成のようにすることは、当業者が容易に想到できるものと認められる。
　　　
　（イ）相違点Ｂについて
　ところで、一般に一方向クラッチの技術分野において、クラッチ接続時の回転部材と被回転部材との回転トルクの伝達構成について、被回転部材に回転部材の回転トルクを伝達して被回転部材を回転させる構成とするか、被回転部材を固定して回転部材の回転トルクに抗して伝達回転部材の回転を防止する構成とするかは、一方向クラッチの特性を利用するときの目的、用途に応じて当業者が適宜に選択すべき設計的事項である。
　そして、刊行物１に記載の発明の一方向クラッチは、回転部材である回転軸筒に対して、被回転部材である環状外枠の内周に回動範囲を規制して嵌着した環状保持体に回動操作部材を設けているところ、回動操作部材を切り替え操作するときの操作性を考慮すると、クラッチの接続又は遮断のいずれの状態においても回動操作可能となるように、前記回動操作部材が連結される環状外枠は何らかの部材に固定されているとみるのが技術常識であるから、結局、刊行物１に記載の発明には、逆転防止装置に適合した一方向クラッチが開示されていると認められる。
　以上の点を踏まえて、本件発明と刊行物１に記載の発明とを対比すると、両者は、いずれも「一方向クラッチによる逆転防止装置」に関する発明において一致し、その具体的な構成について、刊行物１に記載の発明における、「締め付けローラ３」、「保持空間」、「保持器２」、「スリーブ１」、「ばね７」、「軸１１」、「リングばね１０による切り替え部材１４」は、それぞれ、本件発明における、「ころがり部材」、「ガイド溝」、「環状保持体」、「環状外枠」、「バネ」、「回転部材である回転軸筒」、「回動操作部材」に相当する。
　したがって、刊行物１に記載の発明には、相違点Ｂにかかる本件発明の逆転防止装置の構成がすべて開示されていると認められる。
　そうすると、刊行物１に記載の発明と刊行物２に記載の発明は、逆転防止装置である点で技術分野を同じくするから、刊行物２に記載の発明に示される「魚釣用スピニングリールの逆転防止装置」における「逆転防止装置」の構成として、刊行物１に記載の発明に示される「逆転防止装置」を採用して、相違点Ｂにかかる本件発明の構成のようにすることは、当業者が容易に想到できるものと認められる。
　そして、本件発明における、クラッチ本体の構成の簡易化が図れること、ユニット化して作業性が向上すること、楔作用が安定して逆転防止ができること、環状保持体自体を切換え回動することで部品構成を簡素化できること、という作用効果は、刊行物１及び刊行物２に記載の発明を組み合わせたものに基づいて当業者が当然予測できると認められる。
　　　　
　iv．よって、本件発明は、刊行物１に記載の発明及び刊行物２に記載の発明に基づいて当業者が容易に発明をすることができたものと認められるので、特許法第２９条第２項の規定により特許を受けることができない。
　　　　
　（６）むすび
　以上のとおりであるから、本件請求項１に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月１１日（２００１．１０．１１）
【訂正の要旨】
審決（決定）の【理由】欄参照。
（５４）【発明の名称】
魚釣用スピニングリールの
（５７）【特許請求の範囲】
　【請求項１】
ローターを固着しかつハンドル軸の駆動歯車と噛合するピニオンを設けた回転軸筒は、リール筐体の前部に軸受を介して回転自在に支持され、該回転軸筒の軸受の前部には一体的にカラーが係合嵌着され、
であるリール筐体
カラーを介して
を操作して環状保持体を規制回動範囲内で回動させて
魚釣用スピニングリールの
【発明の詳細な説明】
　【０００１】
　【産業上の利用分野】本発明は回転軸の逆転防止装置、特に逆転防止と逆転可能に切換できるようにした
魚釣用スピニングリールの
　【０００２】
　【従来の技術】ころがり部材の楔作用を利用した回転軸の回転防止手段として、魚釣用スピニングリールのローターの回転軸のように魚釣り状況によってローター回転軸を逆転防止状態にしたり、逆転可能状態に切換えることができるようにすることが特開昭５４−１４１２８５号公報で知られている。
　【０００３】
　【発明が解決しようとする課題】しかしながら、前記従来の方式は、ころがり部材を楔作用をするように支持した保持体の一側面にころがり部材の楔作用を作動位置と非作動位置に規制保持する切換部材を設け、ころがり部材を抜け止め支持しているので、ころがり部材、保持体及び切換部材がバラバラに分離しており、製造時の組込み操作及び分解操作時の作業性が悪く取扱いが不便であると共に切換部材によるころがり部材の支持作用が寸法精度及び支持強度上不安定であり、円滑確実な楔作用を維持できない等の問題点がある。この問題点を改善するために本出願人は先にころがり部材、環状保持体、環状外枠及び切換部材を一体的にユニット化して製造、組込みを容易にすることを特願平４−２２７７９１号で提案した。本発明はこのような作業性の向上を更に一層効率良くできるようにした
魚釣用スピニングリールの
　【０００４】本発明は前記目的を達成するために、
ローターを固着しかつハンドル軸の駆動歯車と噛合するピニオンを設けた回転軸筒は、リール筐体の前部に軸受を介して回転自在に支持され、該回転軸筒の軸受の前部には一体的にカラーが係合嵌着され、
であるリール筐体
カラーを介して
を操作して環状保持体を規制回動範囲内で回動させて
魚釣用スピニングリールの逆転防止装置
　【０００５】前記ころがり部材は円盤状又は円筒状に形成してクラッチ本体を略円盤状に形成する場合と略円筒状に形成する場合とがあり、特に魚釣用リールにおいては環状外枠は魚釣用リールの固定部に固定すると共に環状保持体を回転部材に嵌着するものであり、またころがり部材は発条により楔作用をする方向に付勢するのが好適である。
　【０００６】
　【作用】本発明は回動操作部材で環状保持体を外枠に対して回動してころがり部材が回転部材に対して楔作用をする作動位置に規制保持した状態においては、正転する回転部材が逆転しようとすると、ころがり部材は楔作用によりその逆転を阻止し、また回動操作部材で環状保持体を回動してころがり部材を回転部材に対して楔作用の非作動位置に規制保持した状態においては、回転部材の逆転時でもころがり部材はその楔作用への移動が係止され、回転部材は正逆転自在に保持される。
　【０００７】
　【実施例】本発明を魚釣用スピニングリールの逆転装置に適用した実施例について説明すると、公知のようにローター１を固着しかつハンドル軸の駆動歯車と噛合するピニオン２を設けた回転軸筒３は、リール筐体４の前部に軸受５を介して回転自在に支持され、該回転軸筒３の前記軸受５の前部には一体的にカラー６が係合嵌着されている。
　【０００８】前記カラー６の外側にはころがり部材７が嵌合するガイド溝孔８を形成しかつころがり部材７を前後両側から支承した環状保持体９が回転自在に嵌着されると共に該環状保持体９はリール筐体４に固着された環状外枠１０の内周に回動範囲を規制されて回動可能に嵌着し、前記ころがり部材７の外方移動を規制しており、また前記ガイド溝孔８にはころがり部材７をカラー６に対して楔作用をする方向に付勢する発条１１が設けられ、クラッチ本体１２を形成しており、回転軸筒３がローター１の釣糸捲取り方向に回動するときはその回転を許容し、回転軸筒３が逆転しようとすると、ころがり部材７の楔作用により回転軸筒３はカラー６を介して逆転を阻止されるように構成されている。
　【０００９】また前記環状保持体９にはこれを回動するための回動操作部材１３が一体又は一体的に設けられ、該回動操作部材１３をリール筐体４に支持された操作杆１４の回動により、環状保持部材９を所定範囲回動してころがり部材７を図３の楔作用して正回転を許容し逆転を防止する作動位置と図４のころがり部材が楔作用をしない正逆両回転可能な非作動位置とに保持規制するように構成されている。なお図中１５は環状外枠１０に設けられた環状保持体９の軸方向の抜け止め防止片であり、１６は環状保持体９に設けた回動規制突起であり、１７は環状外枠１０に設けた回動規制突起１６の嵌合凹部である。
　【００１０】従って操作杆１４で回動操作部材１３を介して環状保持体９を環状外枠１０に対して所定範囲回動してころがり部材７が楔作用をする作動位置に規制保持される図３の状態においては、回転軸筒３はローター１を釣糸捲取り方向に回転することができる一方、その逆転はころがり部材７の楔作用で阻止されるが、環状保持体９を操作杆１４で回動して図４のころがり部材７が楔作用をしない非作動位置に規制保持された状態においては、回転軸筒３は正転及び逆転自在となり、釣糸の張力による釣糸の放出も可能状態となる。
　【００１１】しかしてこの場合、ころがり部材７、環状保持体９及び環状外枠１０はコンパクトに一体化してユニット化されているので、回転軸筒３に対する組込み及び分解清掃が容易であると共にころがり部材７の支持作用も安定して円滑確実な楔作用を行うことができるものである。
　【００１２】図６に示すものは、前記実施例において回動規制突起１６をピン状に形成して環状外枠側に向けて発条で付勢すると共にその係合凹部１７にはピン状の回動規制突起１６を夫々作動位置と非作動位置に確実に保持するための係止穴１７′・１７″を形成したものである。また図７は本発明のクラッチ本体１２をスピニングリールの駆動歯車１９を回転させるハンドル軸１８上の駆動歯車１９とリール筐体４との間に設けた実施例であり、図８は両軸受型リールのハンドル軸２０とリール本体２１との間にクラッチ本体１２を設けた実施例である。
　【００１３】次に図９及び図１０には環状保持体９に歯車状の回動操作部材１３を使用すると共に操作杆１４にはこの回動操作部材１３に噛合する扇形歯車１４′を設けて環状保持体９を回動するようにした実施例が示されている。
　【００１４】図１１乃至図１６に示す実施例は、前記実施例がクラッチ本体１２を略円盤状に形成したのに対し、クラッチ本体１２を軸方向に長い略円筒状に形成し、各円筒状ころがり部材７の軸方向の長い周側面による楔作用によって径方向に大型化することなく回転部材と固定部材との間に装着できるようにして魚釣用リールのローターやリール本体のギャボックス内等の限られたスペースに装着するのに適するようにしたものであり、図１３乃至図１５はその円筒状環状体９と円筒状環状外枠１０の変形例である。
　【００１５】即ち図１３は鋼板を浸炭焼き入れ処理して、絞り加工で筒状に形成し、窒化処理や他の耐蝕処理がなされた略円筒状の環状外枠１０の上部に回動操作部材１３の長孔１８を設けると共に環状外枠１０の上端に閉鎖板１０′を圧入して形成したものであり、図１４は前記実施例の閉鎖板部分を環状外枠１０で一体に折曲形成したものであり、更に図１５及び図１６は回動操作部材１３で円筒状の環状外枠１０の上端部を閉鎖すると共にその下部に突設した突起１３′を環状外枠１０の上端に形成した長溝１８″に嵌合し、更に合成樹脂製の環状体９の下端に下方に突設した変形可能の突縁９′を環状外枠１０の内底部に形成した環状凹部１０″に係合して環状体９を抜け止めするようにしたものである。
　【００１６】
　【発明の効果】本発明は回動部材に対して楔作用をするころがり部材を嵌合支持する環状保持体によりころがり部材の前後動を規制すると共に該環状保持体の外側をころがり部材の外方移動を規制する環状外枠の内周に回動範囲を規制して回動可能に嵌着してクラッチ本体を形成し、前記環状枠を本体固定部材に固着して回転部材の逆転防止装置を構成し、前記環状保持体をこれに設けた回動操作部材で回動してころがり部材が楔作用して回転部材の正回転を許容し逆回転を防止する逆回転防止状態を構成する作動位置と、ころがり部材が楔作用しない回転部材が正逆両回転可能な逆転防止状態を解除する非作動位置に切換え規制保持するようにしたので、逆転防止装置を構成するクラッチ本体の構成の簡易化を図ると同時にころがり部材、環状保持体及び環状外枠を一体的にユニット化して製造時の組込み操作や分解清掃を迅速容易にして作業性を向上できると共にころがり部材の支持作用及び楔作用も安定して円滑確実に回転部材の逆転防止を行うことができる。
　【００１７】また本発明は環状保持体自体を回動操作部材で直接回動してころがり部材の位置を楔作用の作動位置と非作動位置に切換規制できることにより、先の発明のように切換部材を部品として別個に設ける必要がなく、クラッチ本体のユニット化の構成を一層簡素化できる優れた特徴を有する。
【図面の簡単な説明】
　【図１】本発明の第１実施例の一部切欠正面図。
　【図２】図１の要部の縦断正面図。
　【図３】同要部の作動位置の一部切欠側面図。
　【図４】同要部の非作動位置の一部切欠側面図。
　【図５】同要部の分解斜視図。
　【図６】本発明の第２実施例の一部切欠側面図。
　【図７】本発明の第３実施例の縦断正面図。
　【図８】本発明の第４実施例の一部を切欠した平面図。
　【図９】本発明の第５実施例の縦断正面図。
　【図１０】同要部の一部切欠側面図。
　【図１１】本発明は第６実施例の縦断側面図。
　【図１２】同作動説明図。
　【図１３】同要部の縦断正面図。
　【図１４】同要部の第１変形例の縦断正面図。
　【図１５】同要部の第２変形例の縦断正面図。
　【図１６】図１５の矢視Ａの一部切欠正面図。
　【符号の説明】
　７　ころがり部材
　８　ガイド溝孔
　９　環状保持体
　１０　環状外枠
　１２　クラッチ本体
　１３　回動操作部材